(57)【要約】【課題】周辺装置で表示される画面を情報処理装置において作成する際に、画面を作成する対象の周辺装置を容易に絞り込むことができるようにする。【解決手段】情報処理装置は、少なくとも１つの選択肢画像６１，６２，６３を有する分類選択画面５０を表示部に表示させる処理である。前記少なくとも１つの選択肢画像６１，６２，６３は、情報処理装置と通信可能な周辺装置が特定の分類方法にて分類されてなる少なくとも一種類の装置分類の各々に対応し、対応する装置分類に属する周辺装置に表示される特定画面を示すサムネイル６１ａ，６２ａ，６３ａを含む。情報処理装置は、いずれか１つの装置分類に対する特定画面の作成要求に応じて、その装置分類に属する特定の周辺装置に表示させる特定画面を作成する。【選択図】図２
2019067060.tif 000002
【特許請求の範囲】
【請求項１】
表示部と、
入力部と、
制御部と、
を備えた情報処理装置において、前記制御部が実行可能な画面作成プログラムであって、
前記制御部に、
少なくとも１つの選択肢画像を有する分類選択画面を前記表示部に表示させる選択画面表示処理であって、前記少なくとも１つの選択肢画像は、前記情報処理装置と通信可能な周辺装置が特定の分類方法にて分類されてなる少なくとも一種類の装置分類の各々に対応し、対応する前記装置分類に属する前記周辺装置に表示される特定画面を示すサムネイルを含む、前記選択画面表示処理と、
前記少なくとも一種類の装置分類のうちいずれか１つに対する前記特定画面の作成要求を、前記入力部を介して受け付ける作成要求受付処理と、
前記作成要求受付処理により前記作成要求が受け付けられた前記装置分類に属する特定の前記周辺装置に表示させる前記特定画面を、前記入力部を介して入力される画面作成操作に従って作成する特定画面作成処理と、
前記特定画面作成処理によって作成された前記特定画面の画面データを前記特定の周辺装置へ送信させる送信処理と、
を実行させる画面作成プログラム。
【請求項２】
請求項１に記載の画面作成プログラムであって、
前記情報処理装置は、記憶部を備え、
当該画面作成プログラムは、
さらに、前記制御部に、
前記特定画面作成処理で作成された前記特定画面を示すサムネイルであるカスタムサムネイルを生成するカスタム生成処理と、
前記カスタム生成処理により生成された前記カスタムサムネイルを前記記憶部に記憶させるカスタム記憶処理と、
前記選択画面表示処理により前記分類選択画面が表示される場合、前記分類選択画面における前記少なくとも１つの選択肢画像のうち、対応する前記周辺装置に対応した前記カスタムサムネイルが前記記憶部に記憶されている前記選択肢画像に対し、前記記憶されているカスタムサムネイルを表示させるカスタム表示処理と、
を実行させる画面作成プログラム。
【請求項３】
請求項２に記載の画面作成プログラムであって、
さらに、前記制御部に、
前記分類選択画面におけるいずれかの前記選択肢画像を前記入力部を介して選択させる分類選択処理、
を実行させ、
前記カスタム表示処理は、前記分類選択処理において、対応する前記カスタムサムネイルが前記記憶部に記憶されている前記選択肢画像が選択された場合に、その選択された選択肢画像に対応する前記カスタムサムネイルを表示させる、
画面作成プログラム。
【請求項４】
請求項３に記載の画面作成プログラムであって、
前記選択画面表示処理は、前記少なくとも１つの選択肢画像に対し、前記サムネイルとして、対応する前記装置分類に応じた標準サムネイルを表示させ、
前記カスタム表示処理は、前記標準サムネイルが表示されている状態を維持させ、前記
標準サムネイルとは別に前記カスタムサムネイルを表示させる、
画面作成プログラム。
【請求項５】
請求項２に記載の画面作成プログラムであって、
前記カスタム表示処理は、前記選択画面表示処理によって前記分類選択画面が表示されるときに実行されるように構成されている、
画面作成プログラム。
【請求項６】
請求項２〜請求項５のいずれか１項に記載の画面作成プログラムであって、
さらに、前記制御部に、
前記カスタム表示処理によって表示されている前記カスタムサムネイルの選択操作を前記入力部を介して受け付けるカスタム選択受付処理と、
前記カスタム選択受付処理により前記選択操作が受け付けられた前記カスタムサムネイルに対応した前記特定画面を、前記入力部を介して入力される画面編集操作に従って編集する編集処理と、
を実行させ、
前記送信処理は、さらに、前記編集処理によって編集された前記特定画面の画面データを、対応する前記特定の周辺装置へ送信させるように構成されている、
画面作成プログラム。
【請求項７】
請求項１〜請求項６のいずれか１項に記載の画面作成プログラムであって、
前記選択画面表示処理は、前記少なくとも１つの選択肢画像の各々に対し、対応する前記装置分類に属する前記周辺装置を特定可能なテキストを含む装置固有情報を表示させ、
さらに、前記制御部に、
前記表示部に前記分類選択画面が表示されている場合に、テキストを入力可能な検索欄を前記表示部に表示させる検索欄表示処理と、
前記入力部を介して前記検索欄に対するテキストの入力操作を受け付けるテキスト受付処理と、
前記少なくとも１つの選択肢画像の各々に表示されている前記装置固有情報のうち、前記検索欄に入力されたテキストが含まれる前記装置固有情報を除く他の前記装置固有情報を削除し、且つ、対応する全ての前記装置固有情報が削除された前記選択肢画像についてはその選択肢画像を削除する絞り込み処理と、
を実行させる画面作成プログラム。
【請求項８】
請求項７に記載の画面作成プログラムであって、
前記選択画面表示処理は、前記少なくとも１つの選択肢画像の各々に対し、前記作成要求を受け付けるための要求受付画像を表示させ、
前記作成要求受付処理は、いずれかの前記要求受付画像を選択する操作を前記入力部を介して受け付け、
さらに、前記制御部に、
前記絞り込み処理によって、前記分類選択画面において表示される前記選択肢画像及びその選択肢画像に表示される前記装置固有情報が１つになった場合、前記要求受付画像を選択する操作とは異なる特定の検索確定操作を前記入力部を介して受け付ける確定操作受付処理、
を実行させ、
前記特定画面作成処理は、前記確定操作受付処理により前記検索確定操作が受け付けられた場合、前記分類選択画面に表示されている前記１つの装置固有情報に対応した前記特定の周辺装置に表示させる前記特定画面を、前記入力部を介して入力される画面作成操作に従って作成する、
画面作成プログラム。
【請求項９】
表示部と、
入力部と、
制御部と、
を備えた情報処理装置であって、
前記制御部は、
少なくとも１つの選択肢画像を有する分類選択画面を前記表示部に表示させる選択画面表示処理であって、前記少なくとも１つの選択肢画像は、前記情報処理装置と通信可能な周辺装置が特定の分類方法にて分類されてなる少なくとも一種類の装置分類の各々に対応し、対応する前記装置分類に属する前記周辺装置に表示される特定画面を示すサムネイルを含む、前記選択画面表示処理と、
前記少なくとも一種類の装置分類のうちいずれか１つに対する前記特定画面の作成要求を、前記入力部を介して受け付ける作成要求受付処理と、
前記作成要求受付処理により前記作成要求が受け付けられた前記装置分類に属する特定の前記周辺装置に表示させる前記特定画面を、前記入力部を介して入力される画面作成操作に従って作成する特定画面作成処理と、
前記特定画面作成処理によって作成された前記特定画面の画面データを前記特定の周辺装置へ送信させる送信処理と、
を実行する情報処理装置。
【請求項１０】
情報処理装置において実行される画面作成方法であって、
少なくとも１つの選択肢画像を有する分類選択画面を表示させる選択画面表示ステップであって、前記少なくとも１つの選択肢画像は、前記情報処理装置と通信可能な周辺装置が特定の分類方法にて分類されてなる少なくとも一種類の装置分類の各々に対応し、対応する前記装置分類に属する前記周辺装置に表示される特定画面を示すサムネイルを含む、前記選択画面表示ステップと、
前記少なくとも一種類の装置分類のうちいずれか１つに対する前記特定画面の作成要求を受け付ける作成要求受付ステップと、
前記作成要求受付ステップにより前記作成要求が受け付けられた前記装置分類に属する特定の前記周辺装置に表示させる前記特定画面を、入力される画面作成操作に従って作成する特定画面作成ステップと、
前記特定画面作成ステップによって作成された前記特定画面の画面データを前記特定の周辺装置へ送信させる送信ステップと、
を備える画面作成方法。
【発明の詳細な説明】
【技術分野】
【０００１】
本発明は、周辺装置で表示される画面を情報処理装置にて生成する技術に関する。
【背景技術】
【０００２】
特許文献１には、プリンタ等の画像形成装置のディスプレイに表示される画面を情報処理装置においてカスタマイズする技術が開示されている。より詳細には、特許文献１には、予め用意されたＵＩ部品をドラッグ＆ドロップすることによって、当該ＵＩ部品を画面に追加することが可能な技術が開示されている。
【先行技術文献】
【特許文献】
【０００３】
【特許文献１】特開２０１１−１５４４７４号公報
【発明の概要】
【発明が解決しようとする課題】
【０００４】
情報処理装置から画面をカスタマイズ可能な周辺装置が複数あって、周辺装置の分類ごとにカスタマイズ可能な画面の種類が異なる場合、複数種類の画面の中からカスタマイズしたい画面を絞り込むのに時間がかかり、ユーザの使い勝手が良いとは言い難い。
本発明は上記課題に鑑みなされたものであり、周辺装置で表示される画面を情報処理装置において効率良く作成できるようにすることを目的とする。
【課題を解決するための手段】
【０００５】
本発明の画面作成プログラムは、表示部と、入力部と、制御部とを備えた情報処理装置において、制御部が実行可能なプログラムである。本発明の画面作成プログラムは、制御部に、選択画面表示処理と、作成要求受付処理と、特定画面作成処理と、送信処理とを実行させるように構成されている。
選択画面表示処理は、少なくとも１つの選択肢画像を有する分類選択画面を表示部に表示させる処理である。前記少なくとも１つの選択肢画像は、情報処理装置と通信可能な周辺装置が特定の分類方法にて分類されてなる少なくとも一種類の装置分類の各々に対応し、対応する装置分類に属する周辺装置に表示される特定画面を示すサムネイルを含む。
【０００６】
作成要求受付処理は、前記少なくとも一種類の装置分類のうちいずれか１つに対する特定画面の作成要求を、入力部を介して受け付ける処理である。
特定画面作成処理は、作成要求受付処理により作成要求が受け付けられた装置分類に属する特定の周辺装置に表示させる特定画面を、入力部を介して入力される画面作成操作に従って作成する処理である。
【０００７】
送信処理は、特定画面作成処理によって作成された特定画面の画面データを前記特定の周辺装置へ送信させる処理である。
このような構成の画面作成プログラムによれば、分類選択画面における少なくとも１つの選択肢画像に、対応する装置分類に属する周辺装置で表示される特定画面のサムネイルが含まれる。ユーザは、サムネイルの内容に基づいて、特定画面を作成したい特定の周辺装置の装置分類を容易に絞り込むことができ、その絞り込んだ装置分類に対する作成要求を行うことができる。
【０００８】
したがって、本発明によれば、周辺装置で表示される画面を情報処理装置において効率良く作成することが可能となる。
【図面の簡単な説明】
【０００９】
【図１】実施形態の情報処理システムの構成図である。
【図２】実施形態の新規作成画面の一例を示す説明図である。
【図３】分類選択肢が選択された状態の新規作成画面の一例を示す説明図である。
【図４】検索によりモデルが絞り込まれた状態の新規作成画面の一例を示す説明図である。
【図５】検索によりモデルが１つに絞り込まれた状態の新規作成画面の一例を示す説明図である。
【図６】検索により該当するモデルが存在しなくなった状態の新規作成画面の一例を示す説明図である。
【図７】カスタム待機画面の新規作成処理のフローチャートである。
【図８】新規作成画面表示処理のフローチャートである。
【図９】カスタムリンクボタン表示処理のフローチャートである。
【図１０】カスタム待機画面処理の一部のフローチャートである。
【図１１】カスタム待機画面処理の一部（図１０の続き）のフローチャートである。
【図１２】新規作成画面の他の例を示す説明図である。
【発明を実施するための形態】
【００１０】
以下、本発明の実施形態について、図面を参照しながら説明する。
［実施形態］
（１）情報処理システムの概要
図１に示す本実施形態の情報処理システム１００は、周辺装置１０と、情報処理装置３０とを備える。周辺装置１０と情報処理装置３０とは、通信ネットワーク１０１を通じて相互に通信可能に構成されている。通信ネットワーク１０１の具体例は特に限定されないが、例えば、インターネット、有線ＬＡＮ、無線ＬＡＮ、或いはこれらの組み合わせであってもよい。周辺装置１０と情報処理装置３０とは、例えば、ＵＳＢケーブルを含む各種の通信規格に従った通信媒体を通じて相互に通信可能であってもよい。
【００１１】
（２）周辺装置の構成
周辺装置１０は、図１に示すように、印刷部１１と、読取部１２と、ＦＡＸ部１３と、表示部１４と、入力部１５と、通信部１６と、制御部２１と、記憶部２２とを備える。周辺装置１０における上記各構成要素は、通信バス２３を通じて相互に接続されている。周辺装置１０は、例えば、印刷機能、スキャン機能、ファクス機能、コピー機能などの複数の基本機能を備える。
【００１２】
印刷部１１は、印刷機能を実現する。即ち、印刷部１１は、インクジェット技術や電子写真技術の印刷機構を有する。印刷部１１は、印刷機構によって、シート状の印刷媒体に、画像データに基づく画像を印刷するように構成されている。
読取部１２は、スキャン機能を実現する。即ち、読取部１２は、イメージセンサを備える。読取部１２は、イメージセンサによって原稿の画像を読み取り、読み取った画像の画像データを生成する。ＦＡＸ部１３は、ファクシミリ機能を実現する。
【００１３】
ＦＡＸ部１３は、ファクシミリデータを外部装置へ送信する。また、ＦＡＸ部１３は、外部装置から送信されたファクシミリデータを受信する。
通信部１６は、通信ネットワーク１０１を通じて外部の装置と通信を行うための通信インタフェースである。
表示部１４は、例えば液晶ディスプレイや有機ＥＬディスプレイなどの、画像を表示可能な表示デバイスを備える。
【００１４】
入力部１５は、各種入力操作を受け付けるための入力用デバイスを備える。入力部１５が備える入力用デバイスには、例えば、各種のハードキー及びタッチパネルが含まれる。タッチパネルは、表示部１４が有する表示デバイスにおける画像が表示される表示領域に重畳配置される。
タッチパネルは、表示部１４における画像の表示領域に対する、指先やペンなどの指示体による、特定の位置を指示する指示操作を検出することが可能に構成された入力用デバイスである。ここでいう「指示操作」とは、指示体を特定の位置に接触させること及び特定の位置に近接させることの少なくとも一方を含む。タッチパネルは、指示体による指示操作が行われると、指示操作が行われた位置を示す操作検出信号を出力する。
【００１５】
制御部２１は、タッチパネルから出力される操作検出信号に基づいて、指示操作の有無や、指示操作された場合におけるその指示操作された位置などを検出し、さらにそれらの検出結果に基づいて、指示操作に基づくユーザの操作種別を検出する。検出可能な操作種別には、例えば、タップ、ドラッグ、フリック、ピンチイン、ピンチアウトなどが含まれる。
【００１６】
制御部２１は，例えばＣＰＵを備える。制御部２１は、タッチパネルからの操作検出信号を含む各種入力情報に応じて周辺装置１０の各部の動作を制御することにより、前述の印刷機能、スキャン機能などの各種の機能を実現する。
記憶部２２は、例えばＲＯＭ、ＲＡＭ、ＮＶＲＡＭ、フラッシュメモリなどの半導体メモリを備える。即ち、周辺装置１０は、ＣＰＵ及び半導体メモリを含むマイクロコンピュータを備えている。記憶部２２には、各種のプログラムやデータが記憶されている。
【００１７】
制御部２１は、記憶部２２に格納された各種プログラムを実行することにより各種機能を実現する。なお、制御部２１により実現される各種機能は、プログラムの実行によって実現することに限るものではなく、その一部又は全部について、一つあるいは複数のハードウェアを用いて実現してもよい。
制御部２１は、表示部１４における表示デバイスに各種の画面を表示させる。各種の画面には、例えば、待機画面が含まれる。制御部２１は、起動後、特定の初期化処理を行った後に、表示部１４に待機画面を表示させる。待機画面には、特定の動作が対応付けられた少なくとも１つのアイコンが表示される。
【００１８】
ユーザは、待機画面を起点として、例えばアイコンをタップしたり入力デバイスを介して入力操作を行ったりすることで、表示部１４に表示させる画面を切り替えたり、各種設定を行ったり、各種動作を実行させたりすることができる。
記憶部２２には、待機画面を表示させるための待機画面の情報を示す画面データファイルが記憶される。画面データファイルには、例えば、待機画面内に配置されるアイコン毎の、アイコンＩＤ、アイコン画像データ、テキストデータ、動作ＩＤ、動作パラメータなどが含まれる。
【００１９】
アイコンＩＤは、待機画面に表示されるアイコンを識別する情報である。アイコン画像データは、アイコンの図柄を示すデータである。テキストデータは、アイコンに対応付けて待機画面に表示されるテキストを示すデータである。動作ＩＤは、アイコンに対してタップ或いはその他の操作が行われた場合に実行する動作を識別する情報であり、例えば、「コピー」、「スキャン」、「ファクス」などがある。動作パラメータは、動作ＩＤに応じた動作をする際に用いられる各種の設定項目の設定値である。動作ＩＤが例えば「コピー」の場合、対応する動作パラメータとしては、例えば、コピーサイズ、色設定、拡大率又は縮小率などがある。
【００２０】
制御部２１は、待機画面に表示されているいずれかのアイコンがタップされた場合、そ
のアイコンに対応した動作ＩＤ及び動作パラメータに応じて、対応する動作を実行する。
なお、本実施形態では、画面データファイルには、標準データファイル及びカスタムデータファイルの２種類がある。標準データファイルは、例えば周辺装置１０の出荷時に予め記憶された規定の標準データファイルである。周辺装置１０には、基本的には、標準データファイルに従った待機画面である標準待機画面が表示される。
【００２１】
カスタムデータファイルは、情報処理装置３０から入力される画面データファイルである。後述するように、情報処理装置３０においては、周辺装置１０の待機画面を任意にカスタマイズできる。即ち、ユーザは、情報処理装置３０において、標準待機画面とは異なるカスタム待機画面を独自に作成できる。カスタムデータファイルは、その作成されたカスタム待機画面の情報を示す画面データファイルである。ユーザによりカスタム待機画面が作成され、そのカスタム待機画面を示すカスタムデータファイルが周辺装置１０へ送信されると、周辺装置１０は、待機画面として、送信されたカスタムデータファイルが示すカスタム待機画面を表示させることができる。
【００２２】
（３）情報処理装置の構成
情報処理装置３０は、例えばパーソナルコンピュータ、タブレット端末、スマートフォンなどの、各種の情報処理端末である。情報処理装置３０は、図１に示すように、表示部３４と、入力部３５と、通信部３６と、制御部４１と、記憶部４２とを備え、これらが通信バス４３を通じて相互に接続されている。
【００２３】
制御部４１は、例えばＣＰＵを有する。記憶部４２は、例えばＲＯＭ、ＲＡＭ、ＮＶＲＡＭ、フラッシュメモリなどの半導体メモリを有する。即ち、本実施形態の情報処理装置３０は、ＣＰＵ及び半導体メモリを含むマイクロコンピュータを備えている。
制御部４１は、非遷移的実体的記録媒体に格納されたプログラムを実行することにより各種機能を実現する。本実施形態では、記憶部４２が、プログラムを格納した非遷移的実体的記録媒体に該当する。情報処理装置３０が有する各種機能は、基本的には、制御部４１が記憶部４２に記憶されているプログラムを実行することにより実現される。なお、制御部４１により実現される各種機能は、プログラムの実行によって実現することに限るものではなく、その一部又は全部について、一つあるいは複数のハードウェアを用いて実現してもよい。
【００２４】
記憶部４２には、各種のソフトウェアやデータが記憶されている。本実施形態では、記憶部４２に、ソフトウェアとして、少なくともＯＳ（オペレーティングシステムの略称）４４と画面作成プログラム４５とが記憶されている。
なお、以下の説明では、プログラムを実行する制御部４１（詳しくは制御部４１が有する不図示のＣＰＵ）のことを、単にプログラム名で記載する場合もある。例えば「画面作成プログラム４５は」という記載が「画面作成プログラム４５を実行するＣＰＵは」を意味する場合もある。
【００２５】
画面作成プログラム４５は、周辺装置１０に表示される待機画面をカスタマイズするプログラムである。より詳細には、画面作成プログラム４５は、入力部３５を介してユーザ操作に従ってカスタム待機画面を作成し、そのカスタム待機画面を示すカスタムデータファイルを生成して、周辺装置１０へ出力する。
画面作成プログラム４５は、図１に示す周辺装置１０を含む、複数種類の周辺装置のカスタム待機画面を作成することができる。画面作成プログラム４５によりカスタム待機画面を作成可能な周辺装置を示す情報は、記憶部４２において、対応モデル一覧データとして保存されている。
【００２６】
なお、画面作成プログラム４５は、カスタム待機画面が表示される周辺装置１０に対し
て標準待機画面を示す標準データファイルを出力することにより周辺装置１０の待機画面を標準待機画面に戻すことができる。
表示部３４は、例えば液晶ディスプレイや有機ＥＬディスプレイなど、画像を表示可能な表示デバイスを有する。
【００２７】
入力部３５は、各種入力操作を受け付けるための入力用デバイスを有する。入力部３５が有する入力用デバイスには、例えば、キーボード、マウス、タッチパネルなどが含まれる。タッチパネルは、表示部３４が有する表示デバイスにおける画像の表示領域に重畳配置される。
通信部３６は、通信ネットワーク１０１を通じて外部の装置と通信を行うための通信インタフェースである。情報処理装置３０は、図１に示した周辺装置１０を含む複数の周辺装置のうちの少なくとも１つと、通信部３６を介して通信を行うことができる。
【００２８】
記憶部４２に保存される対応モデル一覧データには、カスタム待機画面を作成可能な周辺装置毎の、モデル名及び製品分類が含まれる。モデル名は、周辺装置の名称である。以下、個々の周辺装置のことを「モデル」と称することがある。製品分類は、カスタム待機画面を作成可能な複数種類の周辺装置が特定の分類方法に従って分類されてなる複数の製品分類のうちの１つである。
【００２９】
本実施形態では、例えば、少なくとも「スキャナ」、「ＭＦＰ」、「ＭＦＰ（ＦＡＸ機能付）」の３種類の製品分類が設定されている。なお、「ＭＦＰ」は、ＭｕｌｔｉｆｕｎｃｔｉｏｎＰｅｒｉｐｈｅｒａｌ（多機能周辺装置）の略称である。
「スキャナ」は、例えば、基本機能に関し、前述の複数の基本機能のうち、スキャン機能のみ或いはスキャン機能を含む一部のみを備えたモデルが属する製品分類である。「ＭＦＰ」は、例えば、基本機能に関し、前述の複数の基本機能のうち、ファクス機能を除き、少なくとも印刷機能、スキャン機能及びコピー機能を備えたモデルが属する製品分類である。「ＭＦＰ（ＦＡＸ機能付）」は、例えば、基本機能に関し、前述の複数の基本機能のうち、少なくとも印刷機能、スキャン機能、ファクス機能及びコピー機能を備えたモデルが属する製品分類である。
【００３０】
また、「スキャナ」、「ＭＦＰ」、「ＭＦＰ（ＦＡＸ機能付）」の製品分類は、さらに、周辺装置の表示部１４が備える表示デバイスにおける表示領域のサイズによって細分化される。即ち、例えば、基本機能の種類のみに基づく分類方法で「スキャナ」の製品分類に分類される複数のモデルは、さらに、表示領域のサイズが例えば３．７インチ、５インチ及び７インチのうちのいずれであるかに応じて分類される。つまり、本実施形態では、周辺装置が備える基本機能の種類及び表示領域のサイズに応じて、複数の製品分類が設定されている。
【００３１】
図２には、製品分類の一例として、「スキャナ」に属し且つ表示領域が「３．７インチ」の第１分類と、「ＭＦＰ（ＦＡＸ機能付）」に属し且つ表示領域が「３．７インチ」の第２分類と、及び、「ＭＦＰ」に属し且つ表示領域が「５インチ又は７インチ」の第３分類とが例示されている。
記憶部４２には、さらに、作成されたカスタム待機画面を示すカスタムデータファイル及び後述するカスタムサムネイル、製品分類毎の標準データファイル及び後述する標準サムネイル、作成されたカスタム待機画面に関する情報を含む後述する過去作成データ、などが保存される。カスタムデータファイルは、記憶部４２における特定のユーザ指定フォルダに保存される。カスタムサムネイル及び標準サムネイルは、記憶部４２における特定の管理フォルダに保存される。過去作成データは、記憶部４２における特定の作成履歴データベースに登録される。以下、「データベース」を「ＤＢ」と略称する。
【００３２】
（４）新規作成画面の説明
情報処理装置３０において、制御部４１により画面作成プログラム４５が実行されると、表示部３４に、図２に示す新規作成画面５０が表示される。新規作成画面５０は、いずれかのモデルのカスタム待機画面を作成する際の起点となる画面である。
新規作成画面５０は、選択肢領域５４と、作成履歴領域５３とを有する。選択肢領域５４に表示される各分類選択肢は、それぞれ、複数の製品分類のうちの１つに対応する。つまり、製品分類ごとに分類選択肢が表示される。
【００３３】
各分類選択肢は、例えば横長の長方形状の画像である。図２は、３つの分類選択肢６１，６２，６３が縦方向に配列されている例を示している。３つの分類選択肢６１，６２，６３のうち第１分類選択肢６１は、第１分類に対応した分類選択肢である。３つの分類選択肢６１，６２，６３のうち第２分類選択肢６２は、第２分類に対応した分類選択肢である。３つの分類選択肢６１，６２，６３のうち第３分類選択肢６３は、第３分類に対応した分類選択肢である。
【００３４】
各分類選択肢６１，６２，６３には、それぞれ、対応する製品分類と、当該製品分類に属するモデルのモデル名と、当該製品分類に属するモデルに表示される待機画面のサムネイルと、新規作成ボタン５７とが含まれる。
新規作成ボタン５７は、対応する製品分類に属するモデルのカスタム待機画面を新規作成するためにユーザにより選択操作されるボタンである。選択操作は、例えば、マウスを介したクリック操作である。いずれかの分類選択肢の新規作成ボタン５７が選択操作されると、対応する製品分類に属するモデルのカスタム待機画面をユーザに新規作成させる処理が実行される。
【００３５】
サムネイルは、待機画面を模した画像である。本実施形態のサムネイルは、実際に表示される待機画面がほぼそのままキャプチャされた内容の画像である。本実施形態では、各分類選択肢６１，６２，６３に表示されるサムネイルは、標準待機画面を模した標準サムネイルである。
即ち、第１分類選択肢６１には、第１分類に属するモデルに表示される標準待機画面を模した標準サムネイル６１ａが含まれる。第２分類選択肢６２には、第２分類に属するモデルに表示される標準待機画面を模した標準サムネイル６２ａが含まれる。第３分類選択肢６３には、第３分類に属するモデルに表示される標準待機画面を模した標準サムネイル６３ａが含まれる。
【００３６】
さらに、本実施形態では、各サムネイルは、単なる画像ではなく、特定の処理が紐付けられたリンクボタンとしても機能する。つまり、入力部３５を介してサムネイルが選択操作された場合、その選択操作されたサムネイルに紐付けられた処理が実行される。具体的に、標準サムネイルが選択操作された場合、カスタム待機画面をユーザに新規作成させる処理が実行される。
【００３７】
また、新規作成画面５０には、後述するように、過去に作成されて保存されているカスタム待機画面のカスタムサムネイルが表示されることもあり、そのカスタムサムネイルが選択操作された場合は、対応するカスタム待機画面の内容をユーザに編集させる処理が実行される。具体的に、編集用の画面を表示させ、ユーザによる各種の画面編集操作を受け付ける。そして、その画面編集操作に応じて、カスタム待機画面の内容を編集する。
【００３８】
以下の説明では、サムネイルのことを「リンクボタン」とも称し、特に、標準サムネイルについては「標準リンクボタン」とも称し、カスタムサムネイルについては「カスタムリンクボタン」とも称する。
リンクボタンの選択操作は、例えば、リンクボタンをマウスオーバーすることによって
可能である。マウスオーバーとは、表示部３４に表示されるマウスポインタ３９（図３参照）を、マウスを操作することによって選択対象の画像上に移動させることを意味する。
【００３９】
作成履歴領域５３には、過去に作成されて記憶部４２に保存されているカスタムデータファイルのファイル名がリストアップされる。なお、作成履歴領域５３には、保存されているカスタムデータファイルのうち過去一定期間内に作成されたカスタムデータファイルのファイル名に絞ってリストアップされてもよい。
新規作成ボタン５７若しくは標準リンクボタンが選択操作された場合、対応する製品分類に属するモデルのカスタム待機画面をユーザに作成させるためのカスタマイズ画面が表示される。ユーザは、カスタマイズ画面に対して各種の画面作成操作を行うことで、対応する製品分類に属するモデルの中から特定のモデルを選択し、その特定のモデルのカスタム待機画面を作成することができる。
【００４０】
カスタム待機画面が作成されて保存処理が行われると、作成されたカスタム待機画面を示すカスタムサムネイルが生成され、管理フォルダに保存される。作成されたカスタム待機画面のカスタムデータファイルは、ユーザ指定フォルダに保存される。さらに、作成されたカスタム待機画面に関する情報を含む過去作成データが、作成履歴ＤＢに登録される。
過去作成データは、カスタムデータファイルのファイルパス（以下、「パス」と略称する）と、カスタムサムネイルのパスと、モデル情報とを含む。モデル情報は、対応するモデルのモデル名と、そのモデルが属する製品分類とを含む。
【００４１】
新規作成画面５０に表示されている何れかの分類選択肢が選択されると、選択された分類選択肢が特定の表示状態に変化する。本実施形態では、特定の表示状態は、背景色が変化することである。分類選択肢に対する選択は、例えば、分類選択肢をマウスオーバーすることにより可能である。また、選択された分類選択肢に対応する過去作成データが作成履歴ＤＢに登録されている場合は、その過去作成データにおけるカスタムサムネイルが表示される。この場合において、過去作成データにおけるカスタムデータファイルのファイル名が作成履歴領域５３に表示されている場合は、そのファイル名の近傍にカスタムサムネイルが表示される。
【００４２】
図３は、第２分類選択肢６２がマウスポインタ３９によるマウスオーバーによって選択された状態となっている例を示している。また、図３は、第２分類選択肢６２に対応する過去作成データが１つ登録されており、その登録されている過去作成データにおけるカスタムサムネイル７２を含むポップアップ画像７０が表示されている例を示している。また、図３は、登録されている過去作成データにおけるカスタムデータファイルのファイル名が作成履歴領域５３に表示されていることにより、ポップアップ画像７０がそのファイル名の近傍（例えばファイル名の下）に表示され、且つそのファイル名が強調表示されている例を示している。
【００４３】
新規作成画面５０には、さらに、検索ボックス５５が表示される。検索ボックス５５は、ユーザが入力部３５を介した入力操作によってテキストを入力可能な領域である。ユーザは、検索ボックス５５にテキストを入力することで、選択肢領域５４に表示されるモデル名を、入力されたテキストがモデル名に含まれるモデルのみに絞り込むことができる。
図３に示す新規作成画面５０の検索ボックス５５に、例えば、テキスト「３」が入力されたとする。この場合、図４に示すように、各分類選択肢６１，６２，６３に対応する各モデルのモデル名のうち、「３」を含まないモデル名は削除され、「３」を含むモデルのみに絞り込まれる。本実施形態では、第１分類に属するモデルの中にはモデル名に「３」が含まれるモデルは存在しない。この場合、図４に示すように、第１分類選択肢６１については、モデル名が全て削除されるだけでなく、第１分類選択肢６１自体が削除される。
【００４４】
テキスト「３」の入力後、さらに、テキスト「５」が入力されたとする。この場合、図５に示すように、テキスト「３」の入力によって絞り込まれていたモデル名の中から、さらに、「３５」を含まないモデル名が削除され、「３５」を含むモデルのみに絞り込まれる。本実施形態では、「３５」を含むモデル名は、第２分類に属するモデル名「ＭＦＰ−３５０」１つである。そのため、表示される分類選択肢は第２分類選択肢６２だけとなり、且つ、その第２分類選択肢６２に表示されるモデル名は「ＭＦＰ−３５０」のみとなる。つまり、図５は、テキスト検索によって１つのモデルに絞り込まれた状態を示している。
【００４５】
図５に示すように１つのモデルに絞り込まれた状態においても、新規作成ボタン５７を選択操作することによって、該当する製品分類のカスタム待機画面、即ち１つに絞り込まれたモデルのカスタム待機画面を作成することができる。これに加え、１つのモデルに絞り込まれた場合、単に特定の検索確定操作を行うだけで、新規作成ボタン５７を選択した場合と同じ動作を行わせることができる。
【００４６】
検索確定操作は、例えば、入力部３５におけるキーボードの「Ｅｎｔｅｒ」キーを押下することである。つまり、ユーザは、１つのモデルに絞り込まれた場合、マウスを操作して新規作成ボタン５７を選択するよりも簡単な操作にて、カスタム待機画面の作成を始めることができる。
なお、検索ボックス５５にテキストが一文字ずつ順次入力されていく過程で、ある一文字のテキストが入力された結果、検索ボックス５５に入力されているテキストがいずれの分類選択肢のモデル名にも含まれなくなった場合は、その入力された一文字のテキストが特定の表示態様にて表示される。さらに、新規作成画面５０から全ての分類選択肢が削除される。
【００４７】
図６は、テキスト「３」に続く二文字目としてテキスト「８」が入力された状態を示している。この場合、モデル名にテキスト「３８」を含むモデルは存在しないため、その存在しなくなる要因となったテキスト「８」が特定の表示態様で表示され、且つ、分類選択肢が削除される。なお、特定の表示態様はどのような表示態様であってもよい。
（５）情報処理装置で実行される各種処理の説明
図２〜図６を用いて説明した、新規作成画面５０を起点とする各種の動作を含む、情報処理装置３０において実行される各種処理について、図７〜図１１を用いて説明する。以下に説明する各種処理は、いずれも、記憶部４２に記憶されている画面作成プログラム４５によって実現される処理の一部である。制御部４１は、画面作成プログラム４５を実行することにより、以下に説明する各種処理を実現する。
【００４８】
（５−１）カスタム待機画面の新規作成処理
図７に示すカスタム待機画面の新規作成処理について説明する。図７に示すカスタム待機画面の新規作成処理は、後述する図１０のカスタム待機画面処理におけるＳ４７０において実行される処理であり、そのＳ４７０の処理内容を具体化したものである。Ｓ４７０の処理は、新規作成ボタン５７又は標準リンクボタンが選択操作された場合に実行される処理である。
【００４９】
ここでは、図１０のカスタム待機画面処理を説明するのに先立って、そのカスタム待機画面処理の一部である図７のカスタム待機画面の新規作成処理について説明する。
制御部４１は、図７のカスタム待機画面の新規作成処理を開始すると、Ｓ１１０で、入力部３５を介したユーザの入力操作に応じて、カスタム待機画面を作成する。具体的には、前述の通り、カスタマイズ画面を表示させ、そのカスタマイズ画面に対するユーザの画面作成操作を受け付ける。そして、画面作成操作に応じてカスタム待機画面を作成する。
【００５０】
なお、カスタマイズ画面の作成前には、対応する標準待機画面の標準データファイルに基づき、対応する標準待機画面のモデル画像が表示される。この標準データファイルは、図１０のＳ４６０で取得される。ユーザは、そのモデル画像をベースに、各種の画面作成操作を行うことで、ユーザが望む内容のカスタム待機画面を作成することができる。
【００５１】
Ｓ１１０でカスタム待機画面が作成され、作成完了を示す入力操作が行われると、Ｓ１２０で、作成したカスタム待機画面のカスタムサムネイルを作成する。
Ｓ１３０では、Ｓ１１０で作成したカスタム待機画面を示すカスタムデータファイルをユーザ指定フォルダへ保存する。Ｓ１４０では、Ｓ１２０で作成したカスタムサムネイルを管理用フォルダへ保存する。Ｓ１５０では、作成したカスタム待機画面に対応する過去作成データを作成履歴ＤＢへ登録する。Ｓ１５０の処理後は、図１０のＳ４８０に進む。
【００５２】
（５−２）新規作成画面表示処理
図８に示す新規作成画面表示処理について説明する。制御部４１は、例えば、新規作成画面５０を表示させるためのユーザによる入力操作に応じて、あるいは新規作成画面５０を表示させる特定の表示条件が成立したことに応じて、図８の新規作成画面表示処理を実行する。
【００５３】
制御部４１は、図８の新規作成画面表示処理を開始すると、Ｓ２１０で、表示部３４に新規作成画面５０を表示させる。なお、Ｓ２１０の処理が行われた時点では、分類選択肢はまだ表示されない。
Ｓ２２０では、対応モデル一覧データを取得する。Ｓ２３０では、作成履歴ＤＢに過去作成データが登録されているか否か判断する。過去作成データが登録されていない場合はＳ２８０に進む。過去作成データが登録されている場合は、Ｓ２４０で、作成履歴ＤＢより、過去作成データの一覧を取得する。
【００５４】
Ｓ２５０では、Ｓ２４０で取得した過去作成データの一覧の中から１つの過去作成データを取得する。Ｓ２６０では、Ｓ２５０で取得した１つの過去作成データに関連付けられているモデル情報、即ち過去作成データに含まれるモデル情報に基づいて、当該過去作成データを、該当する製品分類へ割り当てる。例えば、過去作成データに含まれる製品分類が第２分類である場合は、第２分類に割り当てる。或いは、過去作成データに含まれるモデル名に基づいて第２分類へ割り当ててもよい。
【００５５】
Ｓ２７０では、Ｓ２４０で取得した全ての過去作成データに対してＳ２６０の処理が行われたか否か判断する。まだＳ２６０の処理が行われていない過去作成データが残っている場合はＳ２５０に移行する。全ての過去作成データに対してＳ２６０の処理が行われた場合は、Ｓ２８０に進む。
Ｓ２８０では、新規作成画面５０の選択肢領域５４に、Ｓ２２０で取得した対応モデル一覧データに基づく分類選択肢のリストを表示する。各分類選択肢には、対応モデル一覧データに含まれる各モデルのうち当該分類選択肢の製品分類に属するモデルのモデル名がリストアップされる。また、Ｓ２８０では、分類選択肢毎に、図２に例示したように、標準リンクボタンを表示させる。
【００５６】
（５−３）カスタムリンクボタン表示処理
図９に示すカスタムリンクボタン表示処理について説明する。カスタムリンクボタン表示処理は、図８の新規作成画面表示処理によって過去作成データが割り当てられた分類選択肢が選択された場合にその割り当てられている過去作成データにおけるカスタムサムネイルをカスタムリンクボタンとして表示させる処理である。制御部４１は、表示部３４に新規作成画面５０が表示されている間、図９のカスタムリンクボタン表示処理を周期的に
実行する。
【００５７】
制御部４１は、図９のカスタムリンクボタン表示処理を開始すると、Ｓ３１０で、ユーザによりいずれかの分類選択肢が選択されたか否か判断する。分類選択肢が選択されていない場合は本処理を終了する。いずれかの分類選択肢が選択された場合は、Ｓ３２０で、選択された分類選択肢に過去作成データが割り当てられているか否か判断する。過去作成データが割り当てられていない場合は、本処理を終了する。過去作成データが割り当てられている場合は、Ｓ３３０に進む。
【００５８】
Ｓ３３０では、割り当てられている過去作成データのうち１つを取得する。Ｓ３４０では、取得した過去作成データにおける、カスタムデータファイルのパス及びカスタムサムネイルのパスを取得する。Ｓ３５０では、Ｓ３４０で取得したパスに基づき、管理フォルダからカスタムサムネイルを取得する。
Ｓ３６０では、Ｓ３５０で取得したカスタムサムネイルをアイコンとするカスタムリンクボタンを作成する。例えば、取得したカスタムサムネイルを、表示部３４に表示させる際の適したサイズに調整し、且つカスタム待機画面を作成する処理と紐付ける。
【００５９】
Ｓ３７０では、選択された分類選択肢に割り当てられている全ての過去作成データに対してＳ３４０〜Ｓ３６０の処理が行われたか否か判断する。まだＳ３４０〜Ｓ３６０の処理が行われていない過去作成データが残っている場合はＳ３３０に移行する。割り当てられている全ての過去作成データに対してＳ３４０〜Ｓ３６０の処理が行われた場合は、Ｓ３８０に進む。
【００６０】
Ｓ３８０では、Ｓ３６０で作成したカスタムリンクボタンを表示させる。具体的に、図３に例示したように、標準リンクボタンを維持させつつ、さらにカスタムリンクボタンをポップアップ表示させる。カスタムリンクボタンが複数作成されている場合は、複数のカスタムリンクボタンのうち１つのみ表示させてもよいし、特定の複数のみ表示させてもよいし、全て表示させてもよい。
【００６１】
また、Ｓ３８０では、図３に例示したように、表示させるカスタムリンクボタンに対応したカスタムデータファイルのファイル名が作成履歴領域５３に表示されている場合は、そのファイル名の近傍にカスタムリンクボタンを表示させる。
（５−４）カスタム待機画面処理
図１０及び図１１に示すカスタム待機画面処理について説明する。制御部４１は、表示部３４に新規作成画面５０が表示されている間、図１０及び図１１に示すカスタム待機画面処理を周期的に実行する。
【００６２】
制御部４１は、図１０及び図１１のカスタム待機画面処理を開始すると、Ｓ４１０で、新規作成画面５０に表示されているリンクボタンが選択操作されたか否か判断する。リンクボタンが選択操作された場合は、Ｓ４２０で、選択操作されたリンクボタンが標準リンクボタン及びカスタムリンクボタンのどちらであるか判断する。
選択操作されたリンクボタンが標準リンクボタンである場合は、Ｓ４６０に進む。選択操作されたリンクボタンがカスタムリンクボタンである場合は、Ｓ４３０に進む。Ｓ４３０では、選択操作されたカスタムリンクボタンに対応する過去作成データから、対応するカスタム待機画面のカスタムデータファイルを取得する。
【００６３】
Ｓ４４０では、取得したカスタムデータファイルに基づき、編集用の画面を表示させて、ユーザによる画面編集操作に応じたカスタム待機画面の編集処理を実行する。Ｓ４４０の編集処理後に移行するＳ４８０では、編集処理により編集されたカスタム待機画面を示すカスタムデータファイルを、対応する周辺装置へ送信する。これにより、対応する周辺
装置において、送信されたカスタムデータファイルに従い、待機画面が、編集された内容に変更される。
【００６４】
Ｓ４１０で、リンクボタンが選択操作されていない場合は、Ｓ４５０で、いずれかの分類選択肢の新規作成ボタン５７が選択操作されたか否か判断する。新規作成ボタン５７が選択操作された場合は、Ｓ４６０に進む。
Ｓ４６０では、新規作成ボタン５７が選択操作された分類選択肢に該当する製品分類の標準データファイルを取得する。Ｓ４７０では、カスタム待機画面の新規作成処理を実行する。このＳ４７０の処理の具体的内容は、図７を用いて説明した通りである。Ｓ４７０でカスタム待機画面が作成された後に移行するＳ４８０では、作成されたカスタム待機画面のカスタムデータファイルを、対応する周辺装置へ送信する。これにより、対応する周辺装置において、送信されたカスタムデータファイルに従い、待機画面が、作成されたあらたなカスタム待機画面に変更される。
【００６５】
Ｓ４５０で、新規作成ボタン５７が選択操作されていない場合は、Ｓ５１０（図１１参照）に進む。Ｓ５１０では、検索ボックス５５の内容、即ちテキストの内容に変化があったか否か判断する。ここでいう変化とは、テキストが一文字追加又は削除されることである。
テキストの内容に変化があった場合は、Ｓ５２０に進む。Ｓ５２０では、対応モデル一覧データに含まれるモデルの中から、検索ワード、即ち検索ボックス５５に入力されているテキストがモデル名に含まれるモデルをサーチする。Ｓ５３０では、Ｓ５２０のサーチ結果に基づき、検索ワードを含むモデルがあったか否か判断する。検索ワードを含むモデルがあった場合は、Ｓ５４０に進む。
【００６６】
Ｓ５４０では、絞り込み処理を行う。具体的に、検索ワードを含むモデル及び対応する分類選択肢のみ新規作成画面５０に残し、検索ワードを含まないモデルは新規作成画面５０から削除する。Ｓ５５０では、絞り込み処理の結果、例えば図５に例示したようにモデルが１つに絞り込まれたか否か判断する。モデルが１つに絞り込まれていない場合は、本処理を終了する。モデルが１つに絞り込まれた場合は、Ｓ５６０に進む。
【００６７】
Ｓ５６０では、キーボードのＥｎｔｅｒキーが押下されたか否か判断する。Ｅｎｔｅｒキーが押下されていない場合は本処理を終了する。Ｅｎｔｅｒキーが押下された場合は、Ｓ４６０（図１０参照）に進む。
Ｓ５３０で、検索ワードを含むモデルがなかった場合は、Ｓ５９０に進む。Ｓ５９０では、全ての分類選択肢を消去する。Ｓ６００では、検索ボックス５５に入力されているテキストのうち最後に入力されたテキストを、例えば図６に例示したように、特定の表示態様にて表示させる。
【００６８】
Ｓ５１０で、テキストの内容に変化がない場合は、Ｓ６１０に進む。Ｓ６１０では、Ｓ５４０の処理によってすでに１つのモデルに絞り込まれているか否か判断する。まだ１つに絞り込まれていない場合は本処理を終了する。１つのモデルに絞り込まれている場合は、Ｓ５６０に進む。
（６）実施形態の効果
以上説明した実施形態によれば、以下の（ａ）〜（ｅ）の効果を奏する。
【００６９】
（ａ）新規作成画面５０に表示される分類選択肢には、対応する製品分類に属する周辺装置で表示される待機画面のサムネイルが含まれる。ユーザは、分類選択肢毎に表示されるサムネイルの内容に基づいて、待機画面を作成したい特定の周辺装置の製品分類を容易に絞り込むことができ、その絞り込んだ製品分類を選択することができる。そのため、特定の周辺装置で表示される待機画面を情報処理装置３０において効率良く作成することが
できる。
【００７０】
（ｂ）新規作成画面５０に表示される分類選択肢のうち、過去にカスタム待機画面が作成されてその過去作成データが保存されているモデルが属する分類選択肢が選択操作された場合は、対応するモデルのカスタムサムネイルがポップアップされる。そのため、ユーザは、分類選択肢毎に、過去に作成したカスタム待機画面の有無及び内容を把握することができる。これにより、特定の周辺装置の待機画面をより効率良く作成することができる。
【００７１】
（ｃ）新規作成画面５０に表示されるサムネイルは、単なる画像ではなく、処理が紐付けられたリンクボタンとして機能する。そのため、ユーザは、リンクボタンを選択することによって、対応する製品分類における既存のカスタム待機画面を編集したりカスタム待機画面を新規に作成したりすることができる。
（ｄ）いずれかの分類選択肢が選択操作された場合、標準リンクボタンが表示された状態が維持されたまま、さらに、対応するカスタムリンクボタンが表示される。そのため、ユーザは、標準リンクボタン及びカスタムリンクボタンの双方を見て、その後行うべき操作を適切に判断することができる。
【００７２】
（ｅ）検索ボックス５５にテキストを入力することで、表示されるモデル名を絞り込むことができる。そのため、ユーザは、カスタム待機画面を新規作成或いは編集したいモデルのモデル名を一部でも知っていれば、より効率良くそのモデルを絞り込むことができる。
なお、本実施形態において、待機画面は本発明の特定画面の一例に相当する。製品分類は本発明の装置分類の一例に相当する。分類選択肢６１，６２，６３は本発明の選択肢画像の一例に相当する。新規作成画面５０は本発明の分類選択画面の一例に相当する。新規作成ボタン５７の選択操作及び標準リンクボタンの選択は、本発明の作成要求の一例に相当する。各分類選択肢に表示されるモデル名は本発明の装置固有情報の一例に相当する。
【００７３】
また、Ｓ２１０及びＳ２８０の処理はいずれも本発明の選択画面表示処理の一例に相当する。Ｓ４５０の処理は本発明の作成要求受付処理の一例に相当する。Ｓ４６０，Ｓ４７０の処理は本発明の特定画面作成処理の一例に相当する。Ｓ４８０の処理は本発明の送信処理の一例に相当する。Ｓ１２０の処理は本発明のカスタム生成処理の一例に相当する。Ｓ１４０の処理は本発明のカスタム記憶処理の一例に相当する。Ｓ３８０の処理は本発明のカスタム表示処理の一例に相当する。Ｓ３１０の処理は本発明の分類選択処理の一例に相当する。Ｓ４１０の処理は本発明のカスタム選択受付処理の一例に相当する。Ｓ４３０，Ｓ４４０の処理は本発明の編集処理の一例に相当する。Ｓ２１０の処理は本発明の検索欄表示処理の一例に相当する。Ｓ５１０の処理は本発明のテキスト受付処理の一例に相当する。Ｓ５４０の処理は本発明の絞り込み処理の一例に相当する。Ｓ５６０の処理は本発明の確定操作受付処理の一例に相当する。
【００７４】
［他の実施形態］
以上、本発明の実施形態について説明したが、本発明は上述の実施形態に限定されることなく、種々変形して実施することができる。
（１）新規作成画面５０に表示させるカスタムサムネイル及び標準サムネイルの内容はどのような内容であってもよい。例えば、対応する待機画面を正確に模したものであってもよいし、対応する待機画面の一部分を模したものであってもよい。また例えば、対応する待機画面の全体又は一部分を適宜アレンジしたものであってもよい。
【００７５】
（２）カスタムサムネイルは、どのようなタイミングで表示させてもよい。例えば、図１２に示すように、新規作成画面５０が表示された直後の初期状態において、カスタムサ
ムネイルがある分類選択肢については標準サムネイルに代えてカスタムサムネイルを表示させてもよい。
図１２は、第２分類および第３分類についてはそれぞれすでに過去作成データが１つ保存されていて、それら過去作成データにおける各カスタムサムネイル７２，７３が、標準サムネイル６２ａ，６３ａの代わりにはじめから表示されている例を示している。
【００７６】
また例えば、新規作成画面５０が表示された時点で標準サムネイルと共に表示させてもよい。また例えば、標準サムネイルとカスタムサムネイルとを交互にトグル表示させてもよい。また例えば、標準サムネイルがマウスオーバーされた場合に、カスタムサムネイルを表示させてもよい。その場合、標準サムネイルに代えてカスタムサムネイルを表示させてもよい。
【００７７】
（３）製品分類の分類基準、即ち、複数のモデルをどのような分類方法にて分類するかについては、特に限定されるものではなく、種々の分類方法を用いて分類してもよい。
（４）検索ボックス５５に対して、該当するモデルが存在しなくなるようなテキストが入力された場合、そのテキストの入力が拒否されて検索ボックス５５に表示されないようにしてもよい。
【００７８】
（５）各分類選択肢において、対応するモデル名をどのような順序で表示させるかについては、適宜決めてよい。例えば、情報処理装置３０に実際に接続されている周辺装置のモデル名を上位に表示させてもよい。また例えば、情報処理装置３０にデバイスドライバがインストールされている周辺装置のモデル名を上位に表示させてもよい。また例えば、過去に選択された頻度が多いほど上位に表示させるようにしてもよい。複数の分類選択肢の配列順序についても、上記と同様の要領で、適宜決めてよい。
【００７９】
（６）情報処理装置において作成可能な周辺装置の画面は、待機画面に限定されない。待機画面以外の他の画面を情報処理装置において任意にカスタマイズして作成できてもよい。
（７）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本発明の実施形態である。
【符号の説明】
【００８０】
１０…周辺装置、３０…情報処理装置、３４…表示部、３５…入力部、３６…通信部、３９…マウスポインタ、４１…制御部、４２…記憶部、４３…通信バス、４５…画面作成プログラム、５０…新規作成画面、５３…作成履歴領域、５４…選択肢領域、５５…検索ボックス、５７…新規作成ボタン、６１〜６３…分類選択肢、６１ａ〜６３ａ…標準サムネイル、７０…ポップアップ画像、７２，７３…カスタムサムネイル、１００…情報処理システム、１０１…通信ネットワーク。
【図１】
2019067060.tif 000003
【図２】
2019067060.tif 000004
【図３】
2019067060.tif 000005
【図４】
2019067060.tif 000006
【図５】
2019067060.tif 000007
【図６】
2019067060.tif 000008
【図７】
2019067060.tif 000009
【図８】
2019067060.tif 000010
【図９】
2019067060.tif 000011
【図１０】
2019067060.tif 000012
【図１１】
2019067060.tif 000013
【図１２】
2019067060.tif 000014